(57)【要約】      （修正有）【課題】全面的な機能を有し、便利に操作できる活力保健運動棒を提供する。【解決手段】伸縮棒１２，１３を有し、該伸縮棒に、多数の転動ホイール１６が嵌設され、銃器各転動ホイールの両側面に、凹槽が形成され、対向する凹槽内にバネ１７が組立てられ、上記伸縮棒の両端に、両リング４１，４２が嵌設され、また、両ボール頭構造２１，２２が設置され、両ボール頭構造に、それぞれ、カバーが覆われ、両カバー５１，５２と伸縮棒構造の両端との間において、それぞれ、弾性を有する、バッファーの機能発揮やねじり力の生成のための円錐状バネ３１，３２と行き止めリング２３が設置され、腕の運動効果が強化され、各種類の転動や按摩、再建、活力エアロビクス、保健、ボディー曲線の追求等の効果がある。【選択図】図１
0003168156.tif 000002
【実用新案登録請求の範囲】
【請求項１】
主棒と、上記主棒の両端に設置された両伸縮棒とを有し、上記両伸縮棒が、上記主棒との間において、それぞれ、捻じり定位構造によって接続され、上記主棒に、多数の転動ホイールが嵌設され、各上記転動ホイールの両側面に、凹槽が形成され、また、対向する上記凹槽同士の間に、バネが嵌設され、上記多数の転動ホイールの表面に、多数の横方向の溝が形成される伸縮棒構造と、
上記伸縮棒構造の両端に固定される両ボール頭構造と、
上記伸縮棒構造の両端に嵌設され、円錐の直径が、上記伸縮棒構造から離れるほど大きくなる両円錐状バネと、
上記両ボール頭構造と所定の位置で固定され、上記両円錐状バネを抵当するための両フランジが設けられる両行き止めリングと、
穴により、上記伸縮棒構造の両端と上記ボール頭構造との間に嵌設され、上記穴の直径が、上記両ボール頭構造の最大径よりも小さく、上記両ボール頭構造が上記伸縮棒構造の両端に結合されることによって、位置が制限される両リングと、
上記両ボール頭構造に覆うように設置され、内凹である両半円形面で、上記両ボール頭構造上において、自在に回動でき、それぞれ、上記リングに密着して一体化される両カバーと、
が含有され、
上記両カバーが、上記ボール頭構造上において、自在に回動でき、また、上記ボール頭構造から脱離することなく、また、上記リングが、上記円錐状バネに抵当し、上記カバーが回動する時、上記円錐状バネに触れることにより、適当に転動ねじり力や抵抗が向上されて、腕の運動効果が強化される、
ことを特徴とする活力保健運動棒。
【請求項２】
上記カバーの外周には、複数の按摩粒が形成されることを特徴とする請求項１に記載の活力保健運動棒。
【請求項３】
上記カバーの外周には、複数の磁石が設置されることを特徴とする請求項１に記載の活力保健運動棒。
【考案の詳細な説明】
【技術分野】
【０００１】
本考案は、運動道具技術領域の活力保健運動棒に関する。  
【背景技術】
【０００２】
現代の人々が、ボディービルを行うだけでなく、ボディーの曲線を追求するため、市場に、様々の運動道具が登場し、例えば、運動道具の亜鈴があり、それは、手部運動により、アームの曲線を追求することができるが、手で、ウエートリフティングを行うことしかできず、その運動可能のレンジが制限され、また、従来の亜鈴は、実用に応じて、重さを調整できるが、その用途が制限され、また、亜鈴を利用する場合、非常に単調であるから、数回に使用すると、嫌になることが多発するため、改良すべくものである。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、全面的な機能を有し、便利に操作できる活力保健運動棒を提供する。
【課題を解決するための手段】
【０００５】
本考案は、上記の目的を達成するために、
多数の転動ホイールが嵌設され、各転動ホイールの両側面に、凹槽が形成され、また、対向する凹槽同士の間に、バネが嵌設される伸縮棒と、中空であるボール頭構造であり、上記伸縮棒構造の両端に結合される両ボール頭構造と、上記伸縮棒構造の両端に固定され、円錐の直径が、上記伸縮棒構造から離れるほど大きくなる両円錐状バネと、上記両ボール頭構造と所定の位置で固定され、両円錐状バネを抵当する両行き止めリングと、穴により、上記伸縮棒構造の両端と上記ボール頭構造との間に嵌設され、上記穴の直径が、ボール頭構造の最大径よりも小さく、両ボール頭構造が上記伸縮棒構造の両端に結合されることにより、位置が制限される両リングと、上記両ボール頭構造に覆うように設置され、内凹である半円形面で、それぞれ、ボール頭構造上において、自在に回動でき、それぞれ、上記リングに密着して一体化される両カバーと、が含有されることにより、両カバーが、ボール頭構造上において、自在に回動でき、また、上記ボール頭構造から脱離することなく、また、上記リングが、上記円錐状バネに抵当し、カバーが、回動する時、上記円錐状バネに触れることにより、適当に転動ねじり力や抵抗がこうじょうされて、腕の運動効果が強化される。
【０００６】
以下、図面を参照しながら、本考案の特徴や技術内容について、詳しく説明するが、それらの図面等は、参考や説明のためであり、本考案は、それによって制限されることが無い。
【考案を実施するための形態】
【０００７】
図１乃至図１１を参照しながら、本考案は、
伸縮棒構造１０を有し、上記伸縮棒構造１０は、主棒１１と両伸縮棒１２、１３を含み、上記両伸縮棒１２、１３は、それぞれ、主棒１１の両端に設置され、上記両伸縮棒１２、１３は、主棒１１との間において、それぞれ、捻じり定位構造１４、１５によって結合され、上記伸縮棒構造１０の上記主棒１１に、多数の転動ホイール１６が嵌設され、各転動ホイール１６の両側面に、凹槽１６１が設けられ、対向する凹槽１６１内に、バネ１７が嵌設され、上記多数の転動ホイール１６の表面に、多数の横方向の溝１６２が形成され、上記バネ１７は、より良い実施例であれば、扁形バネが好ましいが、それによって制限されなく、
両ボール頭構造２１、２２を有し、上記両ボール頭構造２１、２２は、上記伸縮棒１２、１３の両自由端に結合され、
また、両円錐状バネ３１、３２を有し、上記両円錐状バネ３１、３２は、上記伸縮棒構造１０の両端に嵌設され、上記両円錐状バネ３１、３２の直径が、上記伸縮棒構造１０から離れるほど大きくなり、
また、両行き止めリング２３を有し、上記両行き止めリング２３は、上記伸縮棒１２、１３と円錐状バネ３１、３２との間に組立てられ、両円錐状バネ３１、３２を抵当するための両フランジ２３１を有し、上記円錐状バネ３１、３２は、円錐状の扁形バネが好ましいが、それによって制限されなく、
そして、両リング４１、４２を有し、上記両リング４１、４２は、上記伸縮棒１２、１３の自由端と上記ボール頭構造２１、２２との間に組立てられ、上記穴の直径が、ボール頭構造２１、２２の最大径よりも小さく、両ボール頭構造２１、２２が上記伸縮棒１２、１３の自由端に結合されることによって、位置が制限され、両リング４１、４２に、ともに、上記両円錐状バネ３１、３２を制限するための凹槽４１１が形成され、
また、両カバー５１、５２を有し、上記両カバー５１、５２は、ボール頭構造２１、２２に覆うように設置され、内凹である半円形面５１１、５２１で、ボール頭構造２１、２２上において、自在に回動でき、それぞれ、上記リング４１、４２に密着して一体化され、このような構成によれば、両カバー５１、５２が、ボール頭構造２１、２２上において、自在に回動でき、また、上記ボール頭構造２１、２２から脱離することなく、また、上記リング４１、４２が、上記円錐状バネ３１、３２に抵当し、カバー５１、５２が回動する時、上記円錐状バネ３１、３２に触れることにより、適当に転動ねじり力や抵抗が向上されて、腕の運動効果がされ、また、本考案によれば、更に、各種類の転動や按摩、再建、活力エアロビクス、保健、ボディー曲線の追求に、利用できる。
【０００８】
前記カバー５１、５２は、外周面に、突出する複数の按摩粒５１２が設けられても良く、血液循環や身体健康を促進するために、複数の磁石５１３が設置されても良い。
【０００９】
前記ボール頭構造２１、２２は、プラスチックからなるボール頭構造２１、２２でも良い。
【００１０】
前記カバー５１、５２は、プラスチックからなるカバー５１、５２でも良い。
【００１１】
本考案によれば、ウエートリフティングとしての機能を発揮できる他、手で上記伸縮棒構造１０を持って、或いは、上記活力保健運動棒を地面に放置して、足の平で、上記伸縮棒構造１０を踏みながら回転させることにより、上記伸縮棒構造１０の上記複数の転動ホイール１６で、足の裏を按摩することができ、また、足で力を込んで上記複数の転動ホイール１６を踏みながら運動することができる（例えば、図７と図１１を参照すること）。また、上記複数の転動ホイール１６で、転動しながら、体の所定の一部を按摩することもできる（例えば、図４を参照すること）。また、両手で、上記両カバー５１、５２を握って、両手で、回転運動を行うことができ（例えば、図１０を参照すること）、それは、太極拳のような捻じり運動を行うことができ、また、上記活力保健運動棒を、そのまま或いは長く伸ばして、両手で、上へ持ち上げるよに、捻じり運動を行うと、上腕の贅肉を消去でき、腕を捻じる時、上記円錐状バネ３１、３２による弾性により、バッファーやねじり力を生成し、腕の運動効果がより向上され（例えば、図５と図６を参照すること）、本考案に係る活力保健運動棒により、運動モードが多様化になり、そのため、より実用的になる。
【００１２】
上記活力保健運動棒を利用すれば、両手でカバー５１、５２を握って上へ持ち上げて、捻じり運動を行うと、上腕の贅肉を解消できる（例えば、図５を参照すること）。また、上記伸縮棒構造１０の両伸縮棒１２、１３を伸ばしてより長い棒体とすれば、両手でカバー５１、５２を握って上へ持ち上げて、捻じり運動を行うと、肢体筋肉を活動させる幅がより広くなる（例えば、図６を参照すること）。
【００１３】
また、両手で上記活力保健運動棒のカバー５１、５２を握って、上記活力保健運動棒を背中にセットして、上記複数の転動ホイール１６で、背中を按摩することもできる（例えば、図４を参照すること）。
【００１４】
また、両手で、上記活力保健運動棒のカバー５１、５２を握って、上記活力保健運動棒を横方向に背中の腰部にセットし、両手で、上記複数の転動ホイール１６で、背中の腰部を按摩することもできる。
【００１５】
また、両手で、上記活力保健運動棒の両側にある上記転動ホイール１６を握って、両手を中央へ圧縮することにより、手指の筋肉強度を鍛えることができる（例えば、図８を参照すること）。
【００１６】
また、上記活力保健運動棒の自由端を腹部に抵当して、両手で、一側にある上記転動ホイール１６を握って、腹部へ圧縮することにより、アームの筋力を鍛えるだけでなく、腹部の按摩もできる（例えば、図９を参照すること）。
【００１７】
上記活力保健運動棒は、３６０度に回転でき、また、両側にある上記カバー５１、５２も、自在に左右回転でき、また、上記伸縮棒構造１０上の上記転動ホイール１６も、自在に左、右回転できるため、様々な運動ができる（例えば、図１０を参照すること）。
【００１８】
上記構造によると、本考案により、次の利点が得られ、
１、精神の緩和や血液循環や筋肉の活性化、左右頭脳の均衡発展、四肢の筋肉強化等に適用でき、また、伸縮棒構造の両端のカバーにある按摩粒により、按摩の効果が得られ、
２、運動や按摩、再建、活力エアロビクスに適用でき、保健やボディービルの追求の効果が得られ、
３、精神気力の回復や集中力の向上そして、頭脳の均衡発展、そして、免疫力システムの向上を促進でき、身障再建等に適合し、
４、アームや背部の筋肉を鍛錬でき、腰部や胸部を造形でき、また、エアロビクスやリズム体操に合わせると、全体としての効果が、更に向上され、
５、身障者の再建等に適合し、
６、各種類の球類の腕力訓練や耐力訓練に適合する。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の一つの実施例の立体分解概念図
【図２】本考案の一つの実施例の立体概念図
【図３】本考案の一つの実施例の組み立て断面図
【図４】本考案の実施形態の作動概念図
【図５】本考案の他の実施形態の作動概念図
【図６】本考案の更に他の実施形態の作動概念図
【図７】本考案の更に他の実施形態の作動概念図
【図８】本考案の更に他の実施形態の作動概念図
【図９】本考案の更に他の実施形態の作動概念図
【図１０】本考案の更に他の実施形態の作動概念図
【図１１】本考案の更に他の実施形態の作動概念図
【符号の説明】
【００２２】
１０  伸縮棒構造
１１  主棒
１２  伸縮棒
１３  伸縮棒
１４  捻じり定位構造
１５  捻じり定位構造
１６  転動ホイール
１６１  凹槽
１６２  横方向の溝
１７  バネ
２１  ボール頭構造
２２  ボール頭構造
２３  行き止めリング
２３１  フランジ
３１  円錐状バネ
３２  円錐状バネ
４１  リング
４１１  凹槽
４２  リング
５１  カバー
５１１  半円形面
５１２  按摩粒
５１３  磁石
５２  カバー
５２１  半円形面
【図１】
0003168156.tif 000003
【図２】
0003168156.tif 000004
【図３】
0003168156.tif 000005
【図４】
0003168156.tif 000006
【図５】
0003168156.tif 000007
【図６】
0003168156.tif 000008
【図７】
0003168156.tif 000009
【図８】
0003168156.tif 000010
【図９】
0003168156.tif 000011
【図１０】
0003168156.tif 000012
【図１１】
0003168156.tif 000013